(57)【特許請求の範囲】
【請求項１】
壁状対象物の頂端部に跨った状態で引っ掛けるためのフックであって、
前記壁状対象物の頂端部を挟んで一側面に当接可能な上向き延出部を有する第１の部材と、前記壁状対象物の頂端部を挟んで他側面に当接可能な第２の部材とを備え、
前記第１の部材と第２の部材とは、前記壁状対象物の頂端部を前記一側面及び他側面から挟持可能でかつその挟持幅を変更可能に互いに接続され、
前記第１の部材は、前記上向き延出部の上端から前記壁状対象物の頂端部の上を他側面の側に向けて延びる横向き延出部と、この横向き延出部の先端位置から前記挟持幅方向と直交する方向に延びる円形断面の棒状の係止部とを備え、
前記第２の部材は、前記壁状対象物の頂端部を挟んで他側面に当接可能な一辺部と、この一辺部の一端から略直角に屈曲する他辺部と、少なくともこの他辺部において前記挟持幅方向と直交する方向に延びて前記係止部を着脱可能に係止するための複数の係止溝とを備え、
前記複数の係止溝が前記挟持幅方向に対し所定間隔を隔てて配置されている、
ことを特徴とするフック。
【請求項２】
請求項１に記載のフックであって、
前記第２の部材は、前記一辺部及び他辺部の一方が他方よりも長く設定されて長辺部及び短辺部によりＬの字状に屈曲した形状を有し、かつ、それら長辺部及び短辺部のそれぞれに前記複数の係止溝が形成されている、フック。
【請求項３】
請求項１又は請求項２に記載のフックであって、
前記各係止溝が第２の部材の内面の側に形成されている、フック
【請求項４】
請求項１〜請求項３のいずれかに記載のフックであって、
前記係止溝は、前記第２の部材の表面に開口して前記係止部が入り込むことになる導入部と、この導入部の奥方位置に配置されて前記係止部を保持するための保持部と、この防止部及び前記導入部の間に前記保持部に保持された状態の係止部を前記導入部側へ抜け止めするためのストッパ部とを備えて形成されている、フック。
【請求項５】
請求項１〜請求項４のいずれかに記載のフックであって、
前記係止溝として、相隣接する２つの係止溝が７．０ｍｍ〜１０ｍｍピッチに配置されている、フック。
【発明の詳細な説明】
【技術分野】
【０００１】
本発明は、壁状対象物の頂端部に引っ掛けて取り付けるためのフックに関し、特に頂端部の幅が異なってもその幅に応じて取り付け可能である上に、頂端部の幅に応じて調整したとしても頂端部の奥方へ突出することのないようにし得るフックに係る。
【背景技術】
【０００２】
従来、乳幼児を座らせた状態で湯につけるための入浴補助具を浴槽のふちに引っ掛けるようにしたものが提案されている(例えば特許文献１参照)。このものでは、浴槽の内側に乳幼児を座らせる椅子部分がラックに支持された状態で一側に配置され、このラックの上端から浴槽の外部に延びて浴槽のふちに引っ掛けるための引っ掛け部が他側に配置されている。又、シャワーヘッドを浴室の壁面に設置するための掛け具も提案されている（例えば特許文献２参照）。
【先行技術文献】
【特許文献】
【０００３】
【特許文献１】実開平７−１８７号公報
【特許文献２】特開平７−２１６９４８号公報
【発明の概要】
【発明が解決しようとする課題】
【０００４】
ところで、フックを壁状対象物の頂端部に対し上から被せ頂端部を厚み方向(幅方向)の両側から挟み込んだ状態にして引っ掛ける場合、その壁状対象物の頂端部の厚み（幅）は画一ではなく種々の寸法を有しているため、厚みが種々に異なる頂端部に対しも同じフックで引っ掛け得るフックの開発が要請されている。そして、例えば図１０に示すようなものが考えられている。
【０００５】
図１０（ａ），(ｂ)に示すものは、いずれも、支持対象物（図示せず）を支持するための被支持部が形成された第１の部材１０１，１１１と、この第１の部材１０１，１１１に対し互いの間隔を変更可能に取り付けられる第２の部材１０２，１１５とで構成したものである。図１０（ａ)に示すものは、壁状対象物の一側面１０３に沿って配置された第１の部材１０１の被支持部の上端から延出部１０４が頂端部１０５の上を幅方向の他側に延ばされる一方、Ｌの字状の第２の部材１０２の一片部１０６を壁状対象物の他側面１０７に当てて配置し、前記延出部１０４を第２の部材１０２の他片部１０８に差し込んで蝶ネジ１０９で締め付けて上下から挟み付けることで、第１の部材１０１と第２の部材１０２とを互いに固定するようにしている。図１０（ｂ）に示すものは、壁状対象物の一側面１０３に沿って配置された第１の部材１１１の被支持部の上端から延出部１１２が頂端部の上を幅方向の他側に延ばされた後に、下向きに屈曲された係止部１１３とされている。そして、その係止部１１３を挿入させるための複数のスリット１１４，１１４，…が前記幅方向の各位置に形成された第２の部材１１５を壁状対象物の他側面１０７に当てた状態で、対応する位置のスリット１１４に前記係止部１１３を上から圧入し、第１の部材１１１と第２の部材１１５とを互いに固定するようにしている。
【０００６】
しかしながら、図１０（ａ），（ｂ）のいずれも場合も、引っ掛け対象の頂端部の厚み（幅）が異なったとしても、その幅に応じて変更可能ではあるものの、図１０（ａ）のものでは延出部１０４の先端が壁状対象部の他側面１０７の側に突出し、図１０（ｂ）のものでも係止部１１３や、この係止部１１３が装入された第２の部材１１５が同様に他側面１０７の側に突出することになる。特に、壁状対象物が浴槽壁であり、頂端部が浴槽フランジ（浴槽のふち）である場合には、突出物の存在は入浴者にとって不都合なものとなる上に、浴室内が煩雑なものとなるという問題が生じる。
【０００７】
本発明は、このような事情に鑑みてなされたものであり、その目的とするところは、引っ掛ける対象の壁状対象物の頂端部の厚みの如何に拘わらず、引っ掛けることができ、しかも、背後に突出物が存在しないようにし得るフックを提供することにある。
【課題を解決するための手段】
【０００８】
上記目的を達成するために、本発明では、壁状対象物の頂端部に跨った状態で引っ掛けるためのフックを対象にして次の特定事項を備えることとした。すなわち、前記壁状対象物の頂端部を挟んで一側面に当接可能な上向き延出部を有する第１の部材と、前記壁状対象物の頂端部を挟んで他側面に当接可能な第２の部材とを備え、前記第１の部材と第２の部材とが、前記壁状対象物の頂端部を前記一側面及び他側面から挟持可能でかつその挟持幅を変更可能に互いに接続されてなることとする。
【０００９】
この特定事項による場合、フックを壁状対象物の頂端部に跨った状態で引っ掛ければ、そのフックを構成する第１の部材と第２の部材とで壁状対象物の頂端部を挟持した状態にすることが可能となる一方、その第１の部材と第２の部材とが挟持幅を変更可能に互いに接続されているため、厚みの異なる頂端部に対しても前記の如く挟持した状態で引っ掛けることが可能となる。
【００１０】
加えて、本発明では、前記の第１の部材として、前記上向き延出部の上端から前記壁状対象物の頂端部の上を他側面の側に向けて延びる横向き延出部と、この横向き延出部から前記挟持幅方向と直交する方向に延びる円形断面の棒状の係止部とを備えたものとし、前記第２の部材として、前記壁状対象物の頂端部を挟んで他側面に当接可能な一辺部と、この一辺部の一端から略直角に屈曲する他辺部と、少なくともこの他辺部において前記挟持幅方向と直交する方向に延びて前記係止部を着脱可能に係止するための複数の係止溝とを備えたものとし、前記複数の係止溝が前記挟持幅方向に対し所定間隔を隔てて配置されているようにした(請求項１)。このようにすることにより、第１の部材の係止部を第２の部材の係止溝に係止することで、前記上向き延出部と前記一辺部とで壁状対象物の頂端部を挟持した状態で、第１の部材と第２の部材とを互いに接続することが可能となる。その一方、ある係止溝に係止された状態の係止部を外して他の係止溝に係止することで、挟持幅を変更することが可能になり、このため、第１の部材と第２の部材とを挟持幅の変更可能に接続する具体構成を特定し得ることになる。
【００１１】
本発明の第２の部材として、前記一辺部及び他辺部の一方が他方よりも長く設定されて長辺部及び短辺部によりＬの字状に屈曲した形状を有するものとし、かつ、それら長辺部及び短辺部のそれぞれに前記複数の係止溝が形成されたものとすることができる（請求項２)。このようにすることにより、長辺部を壁状対象物の頂端部の他側面に当接させた状態で、短辺部に形成された複数の係止溝のいずれかに第１の部材の係止部を係止させた場合と、これとは逆に長辺部と短辺部との配置を入れ替えて、短辺部を壁状対象物の頂端部の他側面に当接させた状態で、長辺部に形成された複数の係止溝のいずれかに第１の部材の係止部を係止させた場合とでは、単に隣接する他の係止溝に係止部を移動することによる挟持幅の変更度合に比して、挟持幅の変更度合をより大きくし得ることになる。これにより、より広い厚み範囲の壁状対象物の頂端部をフックの引っ掛け対象にし得ることとなる。
【００１２】
又、前記の各係止溝を、第２の部材の内面の側に形成することができる（請求項３）。このようにすることにより、壁状対象物の頂端部や他側面に当接することになる前記内面に複数の係止溝が開口することになり、前記頂端部の他側面に対する摩擦係数の増加に伴い第２の部材の密着性も増大することになる。
【００１３】
さらに、前記の係止溝を、前記第２の部材の表面に開口して前記係止部が入り込むことになる導入部と、この導入部の奥方位置に配置されて前記係止部を保持するための保持部と、この防止部及び前記導入部の間に前記保持部に保持された状態の係止部を前記導入部側へ抜け止めするためのストッパ部とを備えたものとして形成することができる（請求項４）。このようにすることにより、第１の部材の係止部を第２の部材の係止溝の導入部から押し入れてストッパ部を乗り越えさせて保持部に至らせれば、係止部はストッパ部により抜け止めされて係止部を保持部から外れ難くさせることが可能となる。これにより、第１の部材と第２の部材とを互いに強固に接続させて一体化させ得ることになる。
【００１４】
そして、前記の係止溝として、相隣接する２つの係止溝を７．０ｍｍ〜１０ｍｍピッチに配置することができる（請求項５）。このようにすることにより、浴槽フランジを壁状対象物としてフックを引っ掛ける場合に、種々の厚み範囲の浴槽フランジの頂端部に対し挟持幅を変更して引っ掛け可能な最適なフックとし得る。
【発明の効果】
【００１５】
以上、説明したように、本発明のフックによれば、フックを壁状対象物の頂端部に跨った状態で引っ掛ければ、そのフックを構成する第１の部材と第２の部材とで壁状対象物の頂端部を挟持した状態にすることができる一方、その第１の部材と第２の部材とで挟持幅が変更可能であるため、厚みの異なる頂端部に対しても頂端部を挟持した状態で引っ掛けることができるようになる。
【００１６】
特に、本発明によれば、第１の部材の係止部を第２の部材の係止溝に係止することで、上向き延出部と一辺部とで壁状対象物の頂端部を挟持した状態で、第１の部材と第２の部材とを互いに接続することができる一方、ある係止溝に係止された状態の係止部を外して他の係止溝に係止することで、挟持幅を変更することができるようになり、これにより、第１の部材と第２の部材とを挟持幅の変更可能に接続する具体構成を特定することができる。
【００１７】
請求項２によれば、第２の部材として、長辺部及び短辺部によりＬの字状に屈曲した形状を有するものとし、かつ、それら長辺部及び短辺部のそれぞれに複数の係止溝が形成されたものとすることで、長辺部と短辺部との配置を入れ替えれば、長辺部又は短辺部のいずれかにおいて単に隣接する他の係止溝に係止部を移動させる場合よりも、挟持幅の変更度合をより大きくすることができる。これにより、より広い厚み範囲の種々の壁状対象物の頂端部を引っ掛け対象にして、フックを使用することができるようになる。
【００１８】
請求項３によれば、各係止溝を、第２の部材の内面の側に形成することで、壁状対象物の頂端部や他側面に当接することになる内面に複数の係止溝が開口することになり、頂端部の他側面に対する摩擦係数の増加に伴い第２の部材の密着性を増大させることができるようになる。
【００１９】
請求項４によれば、第１の部材の係止部を第２の部材の係止溝の導入部から押し入れてストッパ部を乗り越えさせて保持部に至らせれば、係止部はストッパ部により抜け止めされるため、係止部を保持部から外れ難くさせることができる。これにより、第１の部材と第２の部材とを互いに強固に接続させて一体化させることができる。
【００２０】
請求項５によれば、係止溝として、相隣接する２つの係止溝を７．０ｍｍ〜１０ｍｍピッチに配置することで、浴槽フランジを壁状対象物としてフックを引っ掛ける場合に、種々の厚み範囲の浴槽フランジの頂端部に対し挟持幅を変更して引っ掛け可能なフックとして最適なものとすることができる。
【図面の簡単な説明】
【００２１】
【図１】本発明の実施形態に係るフックの分解斜視図である。
【図２】浴槽フランジにフックを引っ掛けた状態を斜視図で示す説明図である。
【図３】図３(ａ)はフックに支持させるミストヘッドの平面図であり、図３(ｂ)はフックの平面図である。
【図４】フックの側面図及びその部分拡大断面図に係る説明図である。
【図５】浴槽フランジにフックを引っ掛けてミストヘッドを支持させるまでの作業を示す側面説明図である。
【図６】浴槽フランジにフックを引っ掛けた状態を浴槽の外側から見上げた斜視図で示す説明図である。
【図７】幅広の浴槽フランジに引っ掛ける場合のフックを示す側面図である。
【図８】ミストヘッド及びミストヘッドを支持させたフックをタオルハンガーに引っ掛けた状態を、タオルハンガーの途中で切断して示す側断面説明図である。
【図９】他の形態として、係止溝がアタッチメントの外面に形成された例を示す側面図である。
【図１０】図１０(ａ)は本発明の課題を説明するための対比例のフックの側面説明図であり、図１０(ｂ)は同様に他の対比例のフックの側面説明図である。
【発明を実施するための形態】
【００２２】
以下、本発明の実施形態を図面に基づいて説明する。
【００２３】
図１は、本発明の実施形態に係るフックの分解斜視図である。以下、フックの実施形態として、浴槽を構成する壁のふち(浴槽フランジ)に対し後述の如き特殊なミストヘッドを浴槽の内側に支持させるために使用する場合について説明する。つまり、壁状対象物が前記の浴槽フランジであり、被支持物がミストヘッドである場合を対象にして、以下説明する。なお、用途としてはミストヘッド等の浴室用具を支持させて浴室内で用いる場合の他に、浴室用具以外の被支持物を支持させるために、住宅の居室内のいずれかの壁状対象物に引っ掛けたり、窓を開けた状態の窓枠に引っ掛けたりして用いるようにしてもよい。
【００２４】
図１に示すように、フック１は、第１の部材としてのワイヤ部材２と、第２の部材としてのアタッチメント３とにより構成されている。ワイヤ部材２は、ワイヤ素材を用いて所定形状に屈曲形成されたものであり、前記のミストヘッドを支持するために前側に突出された支持部２１と、この支持部２１の上端から連続して上向きに延びる上向き延出部２２と、上向き延出部２２から後側に屈曲して横向きに伸びる横向き延出部２３と、この横向き延出部２３の後端に配置された係止部２４とからなるものである。アタッチメント３は、所定幅を備え側面視でＬの字状に屈曲形成されたアタッチメント本体３１と、アタッチメント本体３１の内面側において互いに平行に並んで形成された複数条の係止溝３２，３２，…とを備えたものである。
【００２５】
支持部２１は、この支持部２１に支持させる被支持物の形状に応じて屈曲形成されるものである。このような形状としては、通常は、被支持物を上から載置又は差し込みすれば、その被支持物がそれ以上落ちないように自重を支えかつ前方に傾いて転落等しないように保持するように、被支持物の下側の周囲に沿うような形状に屈曲形成されていればよい。本実施形態で例示したミストヘッド４（図２参照）を被支持物とする場合の支持部２１としては、そのミストヘッド４の主として底部側を両側外方から挟み込むような形状に屈曲形成すればよい。具体的には、ミストヘッド４は円錐形又は台錐形のミストヘッド本体４１と、このミストヘッド本体４１の先端側から２方向に突出するように接続された円盤形状のヘッド部４２，４２とからなり、支持部２１はミストヘッド本体４１を横向きに倒した状態（図２に加え図３も参照）の底部側を両側外方から挟み込むように各側に上下２段の突出腕２１１，２１２を有するように形成されている。そして、両側の下段の突出腕２１２，２１２の間隔が上段の突出腕２１１，２１１の間隔よりも狭くされており、この両側の突出腕２１１，２１２、２１１，２１２間にミストヘッド本体４１を上から差し込むことで、それ以上落ちないように支持されることになる。
【００２６】
上向き延出部２２は両側の上段の突出腕２１１，２１１の基部から屈曲して上向きに延びる一対のワイヤ素材部分で構成され、横向き延出部２３も上向き延出部２２の上端から略直角に屈曲して横向きに延びる一対のワイヤ素材部分で構成されている。そして、横向き延出部２３を構成する一対のワイヤ素材部分の先端を互いに結ぶワイヤ素材部分により係止部２４が構成されている。ここで、本発明のフック１を構成する第１の部材としては、以上のワイヤ部材２に限らず、少なくとも係止部２４が円形断面の丸棒状のもの（例えばワイヤ素材）により形成されていれば、他の部分(支持部２１，上向き延出部２２，横向き延出部２３)はワイヤ素材により形成されている必要はなく、これら他の部分２１，２２，２３は板素材又は合成樹脂成形品により形成してもよい。
【００２７】
アタッチメント３は、例えば硬度９０程度のシリコン又はウレタン等の合成樹脂を用いて樹脂成形により形成されたものである。アタッチメント本体３１は、引っ掛け対象の浴槽フランジ５(図２参照)の角部に対応するように略直角に屈曲された長辺部３１１と、短辺部３１２とからＬの字状に形成されている。そして、図４に示すように、長辺部３１１の内面３１３及び短辺部３１２の内面３１４には、それぞれ２以上の係止溝３２，３２，…が形成されている。各係止溝３２は、各内面３１３，３１４に開口して各外面３１５，３１６の側に延びる導入部３２１と、導入部３２１の延長方向からオフセットされた位置に配置された保持部３２２と、この保持部３２２に向けて導入部３２１の奥端を連通させるように斜め横向きに折れ曲がることで抜け止めの役割を果たすストッパ部３２３とから構成されている。保持部３２２はワイヤ部材の係止部２４の直径ｄと同等径か僅かに大きい直径を有し、導入部３２１の開口幅ｍ１及びストッパ部３２３の通路幅ｍ２は共に係止部２４の直径ｄより狭い寸法に設定されている。なお、ストッパ部３２３の通路幅ｍ２を、開口幅ｍ１よりも僅かに狭くするようにしてもよい。以上により、係止部２４を導入部３２１からアタッチメント３の素材の有する弾性を利用して押し入れ、さらに奥方に押し込むことでストッパ部３２３を乗り越えて保持部３２２内に装入させることで、ワイヤ部材２及びアタッチメント３は、係止部２４の中心軸Ｘの回りに互いに回転可能な状態で、互いに連結されて一体化されることになる。このアタッチメント３の長辺部３１１の内面３１３と、ワイヤ部材２の上向き延出部２２との間の間隔がフック１により引っ掛ける対象に対する挟持幅Ｙ１となる。
【００２８】
ここで、アタッチメント３の具体的な寸法例をあげると、浴槽フランジ５の幅が５０〜１１０ｍｍの範囲を対象にした場合、長辺部３１１の長さを８０ｍｍ、短辺部の長さを６０ｍｍ、短辺部３１１及び短辺部３１２の厚みを１０ｍｍにし、係止溝３２の保持部３２２の直径を３．６ｍｍ、導入部３２１の開口幅を３．０ｍｍにし、相隣接する係止溝３２，３２間を７．０ｍｍ〜１０ｍｍピッチに配置すればよい。
【００２９】
以上のフック１を用いて浴槽フランジ５に対し引っ掛けてミストヘッドを支持した状態にするには、図５に示すように、まず、ワイヤ部材２の係止部２４をアタッチメント３の短辺部３１２の所定の係止溝３２内に押し入れることで、ワイヤ部材２とアタッチメント３とを互いに連結してフック１を組み付ける。この際に、引っ掛ける対象の浴槽フランジ５の厚み(幅)と同等の挟持幅Ｙ１(図４参照)になるように係止部２４を押し入れる係止溝３２を選択する。次に、フック１を浴槽フランジ５に対し上から引っ掛ける。具体的には、アタッチメント３の長辺部３１１と、ワイヤ部材２の上向き延出部２２との間に浴槽フランジ５の頂端部５１が入り込むようにフック１を上から被せ、アタッチメント３の短辺部３１２の内面３１４やワイヤ部材２の横向き延出部２３が浴槽フランジ５の頂端部５１に当接させる。この状態(図２も併せて参照)では、ワイヤ部材２の上向き延出部２２が浴槽フランジ５の内側面５２に当接する一方、アタッチメント３の長辺部３１１の内面３１３が浴槽フランジ５の外側面５３に当接し、アタッチメント３の内面３１３と、ワイヤ部材２の上向き延出部２２とで浴槽フランジ５を挟み込んだ状態で、フック１が浴槽フランジ５に引っ掛けられた状態となる。そして、ワイヤ部材２の支持部２１に対し上から横倒し状態にしたミストヘッド４のミストヘッド本体４１を差し入れて、ミストヘッド４を支持部２１に支持させた状態にする。これにより、ミストヘッド４がフック１を介して浴槽フランジ５の内面側に支持された状態になる(図６も併せて参照)。
【００３０】
以上のフック１の場合、フック１の前側に支持対象であるミストヘッド４を支持した状態で、引っ掛け対象の浴槽フランジ５に対しその頂端部５１に跨った状態で引っ掛けて仮固定することができる。その際、フック１の後側、つまり浴槽フランジ５の外側にはアタッチメント３の長辺部３１１の外面３１５が臨んで存在するだけで、浴槽の外方に向けての突出物の存在を無くすことができる。又、浴槽フランジ５の外側面に当接するアタッチメント３の長辺部３１１の内面３１３には複数の係止溝３２，３２，…が形成されているため、その形成素材の摩擦も加わって、浴槽フランジ５の外側面５２に対し密着してフック１の引っ掛け力を増強する役割を果たすことになる。さらに、ワイヤ部材２の係止部２４がアタッチメント３の各係止溝３２内においてストッパ部３２３により抜け止めされた状態で保持部３２２で保持されているため、ワイヤ部材２とアタッチメント３との結合力をより確実なものとすることができる。
【００３１】
そして、浴槽フランジ５とは異なる幅の浴槽フランジ等に対し引っ掛けたい場合には、ワイヤ部材２の係止部２４をアタッチメント３の係止溝３２からその素材の弾性復元力に抗して引き抜くことで外し、新しい引っ掛け対象の幅に対応した位置の係止溝３２を選択し、その係止溝３２に対し、再度、押し入れればよい。これを用いて新しい引っ掛け対象の浴槽フランジ等に前述と同様の作業により引っ掛ければよい。その際、短辺部３１２の係止溝３２，３２，…では、前記の新しい引っ掛け対象の幅に対応した挟持幅にすることが不能な場合には、図７に示すように、それまでの長辺部３１１及び短辺部３１２の位置関係を逆転させ、長辺部３１１が浴槽フランジ５の頂端部５１と相対向することになるようにし、この長辺部３１１の係止溝３２，３２，…の内から対応するものを選択してワイヤ部材２の係止部２４を係止させるようにすればよい。このようにすることで、フック１の挟持幅を図４の場合のＹ１から図７の場合には最大でＹ２に拡大させることができるようになる。
【００３２】
さらに、本フック１を用いれば、そのミストヘッド４やフック１を使用しないときには、図８に例示するように、ミストヘッド４を支持させた状態のままでフック１をタオルハンガー６に引っ掛けて仮置きしておくことができ、使い勝手の良いものとなる。すなわち、アタッチメント３をタオルハンガー６の横杆６１と壁７との間から下に通し、ワイヤ部材２の上向き延出部２２と横向き延出部２３との境界の屈曲部位を前記横杆６１の上に引っ掛けるようにすればよい。
【００３３】
＜他の形態＞
なお、本発明は上記実施形態に限定されるものではなく、その他種々の実施形態を包含するものである。すなわち、上記実施形態ではアタッチメント３の各内面３１３，３１４の側に係止溝３２，３２，…が形成された場合を示したが、これに限らず、例えば図９に示すように、係止溝３２，３２，…をアタッチメント３のアタッチメント本体３１の外面３１５，３１６の側に形成するようにしてもよい。又、アタッチメント３として、長辺部３１１と短辺部３１２とでＬの字状に屈曲したものを示したが、これに限らず、互いに同じ長さの一辺部と他辺部とでＬの字状に屈曲したものに構成してもよい。複数の係止溝３２，３２，…を長辺部３１１及び短辺部３１２のいずれか一方のみに、あるいは、前記の一辺部及び他辺部のいずれか一方のみに、形成するようにしてもよい。この場合でも挟持幅の変更調整は可能となる。
【符号の説明】
【００３４】
１        フック
２        ワイヤ部材(第１の部材)
３        アタッチメント(第２の部材)
５        浴槽フランジ(壁状対象物)
２２      上向き延出部
２３      横向き延出部
２４      係止部
３２      係止溝
３１１    長辺部
３１２    短辺部
３１３，３１４    内面
３２１    導入部
３２２    保持部
３２３    ストッパ部
Ｙ１，Ｙ２        挟持幅
【図１】
0005915259.tif 000002
【図２】
0005915259.tif 000003
【図３】
0005915259.tif 000004
【図４】
0005915259.tif 000005
【図５】
0005915259.tif 000006
【図６】
0005915259.tif 000007
【図７】
0005915259.tif 000008
【図８】
0005915259.tif 000009
【図９】
0005915259.tif 000010
【図１０】
0005915259.tif 000011